(57)【要約】【課題】若いとき近眼であった人が加齢によって老眼にもなった場合、今まで使用していた眼鏡では裸眼にしても見えにくい所が出てくる。使用眼鏡のデザイン等をできるだけ損なうことなく見えにくい所を見やすくする補助具。【解決手段】二つの眼鏡レンズ又は眼鏡フレームの上縁に細長材の補助具を装着することで常に携帯することを可能にし、また、その補助具の材質、色合いや柄そして形状に自由度を持たせることで眼鏡そのもののデザイン性やファッション性を損なわない補助具で必要な時のみ上縁に装着した補助具を取り外して、二つの眼鏡レンズ又は眼鏡フレームの下縁へ移動装着することで眼鏡鼻パッド使用の時よりも眼鏡レンズを先方に位置調整することで見えにくい領域を見やすくする（；レンズの近点補正を行う）。【選択図】図１
2020038344.tif 000002
【特許請求の範囲】
【請求項１】
一つの眼鏡の二つの眼鏡レンズの上縁及び／又は下縁に跨がせて取付け可能な細長材、又は眼鏡フレームの上縁及び／又は下縁に取付け可能な細長材であり、細長材が眼鏡レンズ又は眼鏡フレームの前記上縁及び／又は下縁に脱着可能であり、前記下縁に取付けた眼鏡を顔に装着すると、細長材が鼻の上に支持されて、レンズが眼鏡パッドを鼻に掛けたときよりも顔の先方に位置するようにした、
ことを特徴とするメガネ補助具。
【請求項２】
請求項１記載のメガネ補助具において、細長材の長手方向中央部の両側に嵌合部があり、嵌合部は、中央部に対して上下方向に角度調整できる、
ことを特徴とするメガネ補助具。
【請求項３】
請求項１記載のメガネ補助具において、細長材がフレキシブルに変形可能である、
ことを特徴とするメガネ補助具。
【請求項４】
請求項１から請求項３のいずれか１項に記載のメガネ補助具において、細長材が眼鏡レンズ又は眼鏡フレームの上縁及び／又は下縁に付け替え可能な嵌合溝を備えた、
ことを特徴とするメガネ補助具。
【請求項５】
請求項１から請求項３のいずれか１項に記載のメガネ補助具において、細長材が眼鏡レンズ又は眼鏡フレームの上縁及び／又は下縁に取付け可能な磁石を備えた、
ことを特徴とするメガネ補助具。
【請求項６】
請求項１から請求項３のいずれか１項に記載のメガネ補助具において、細長材が、眼鏡レンズ又は眼鏡フレームの上縁及び／又は下縁に開けた孔に差し込み可能な突起を備えた、
ことを特徴とするメガネ補助具。
【請求項７】
請求項１から請求項３のいずれか１項に記載のメガネ補助具において、細長材が眼鏡レンズ又は眼鏡フレームの上縁及び／又は下縁に取付け可能な接着具又は粘着具を備えた、
ことを特徴とするメガネ補助具。
【発明の詳細な説明】
【技術分野】
【０００１】
本発明は、近眼の人が加齢により老眼になり使用している眼鏡では、近くでのある領域が裸眼でも眼鏡使用時でも見えない所（領域）が発生する為、その見えにくい所（領域）を見やすくするためのメガネ補助具に関する。
【背景技術】
【０００２】
この見えにくい領域を今使用している眼鏡で見えるようにする方法として眼鏡の鼻パッドの鼻位置での眼鏡レンズと眼（瞳）との間隔を広くとるようにすれば解決する（特許文献１）。ここでは、眼鏡の鼻用パッド付本体フレームにレンズ付フレームが装着してあり、そしてそのレンズ付フレームが前後にスライドできるような新たな眼鏡フレームの考案が示されている。これによりレンズの近点を補正することで見えにくい領域も見えるようになる。
【０００３】
近眼の弱い人が加齢により老眼になった場合、近くでの見えにくい領域を見やすくする為には使用眼鏡を外せばすなわち裸眼にすることも完全ではないが一つの解決策の例である。このようなフレームとしてレンズ部分のフレームが本体フレームと一部で連結していて上方に回動することで眼鏡を外したこと（裸眼になること）と同じ状況を作ることができると共に眼鏡そのものを外さない為、レンズを元に戻すことですぐに又近眼用眼鏡として使用できる（特許文献２及び３）。ただし、この方法では見えにくい領域を見やすくする根本的な解決にはならない。
【０００４】
現在では、近眼者で加齢によりさらに老眼を併発した人のための眼鏡として遠近両用眼鏡が市販されている。それぞれのレンズの上半分を近眼用屈折率を施し、下半分を近眼用老眼の屈折率を施すことで一つのレンズで両方見ることが可能となる。しかし、一つのレンズ内に二種類の屈折率を入れることでその境界部分は非常に見えにくいため、その眼鏡使用者は、遠くを見る時は、眼（瞳）を上目ずかいに、また、近くを見る時は、下目ずかいにしなくてはならない。また、それぞれのレンズ内の左右部分では屈折率差の大きさにもよるが見えにくい箇所がさらに出てきて視野が狭くなる可能性が生じる。また、遠近両用レンズは、高度な技術とレンズの材質の高単価により眼鏡単価を安価にできない可能性がある。
【先行技術文献】
【特許文献】
【０００５】
【特許文献１】公開実用新案公報    昭６３−１８８６２７
【特許文献２】公開実用新案公報    昭５８−２８８１８
【特許文献３】公開実用新案公報    昭５３−１３４９４０
【発明の概要】
【発明が解決しようとする課題】
【０００６】
先行技術では、機能を優先する余り新たな眼鏡フレームを作らなければならず、その構造や形状に消費者の求めるデザイン性やファッション性を取り入れることやコスト面でもフレームが複雑になればそれなりに高価になり、現在市販されている眼鏡の単価の安価傾向にそぐわない。
【０００７】
現在、眼鏡は、本来眼鏡の持つ特性（；たとえば、近眼鏡として）だけでなく、そのフレーム形状、柄、素材の種類やデザイン等によりそのファッション性も重視されている。また、近年では、その種類（花粉症対策用、ドライアイ用そして眼鏡フレームに脱着可能サングラス等）の多様化も起きている。そんな中でそれぞれの眼鏡の趣旨を壊さず、また、必要な機能を落とさず眼鏡に取り込むことを可能とすると共に眼鏡への多種多様化への汎用性に富み、また、安価で提供できるようにする。
【０００８】
本発明は、メガネ補助具が現在市販されている眼鏡全般に対応でき（汎用性に富み）、その眼鏡のファッション性を損なわずさらに所有者のさらなる独自性のファッション性を取り込む可能性もあると共に安価で必要とされる機能を十分発揮できるメガネ補助具を提供することにある。
【課題を解決するための手段】
【０００９】
近眼の人が、加齢により老眼も併発した場合、普段掛けている近眼用眼鏡では近くのある領域が見えにくくなる。そして、また、その領域は、眼鏡を外しても見えにくい。これは、加齢により瞳の調整機能が衰えたことが原因の一つと考えるとそれを補う手段として使用眼鏡のレンズの位置すなわちレンズの近点を補正することが一つの解決手段となる。方法として近眼使用時の眼鏡をそのまま前に出す、すなわち眼鏡レンズと眼（瞳）の間隔を広げるようにすることが解決策の一つとなる。但し、その際できるだけ眼鏡レンズの中心が瞳と合うようにする必要がある（普段使用している眼鏡状態にするためにも）。本発明のメガネ補助具は、眼鏡の通常使用（近眼使用）の場合、一つの眼鏡の二つの眼鏡レンズ間又は眼鏡フレームの二つのレンズ間の上縁に跨るように細長材（メガネ補助具）を装着し、必要な時のみその細長材（メガネ補助具）を外し、一つの眼鏡の二つの眼鏡レンズ間又は眼鏡フレームの二つのレンズ間の下縁に跨るように装着し、そのまま掛けることで近視用眼鏡のレンズ位置から老眼補正位置（レンズの近点補正位置）に補正が可能となる。（図１）。
【００１０】
上記細長材（メガネ補助具）の形状、上縁及び下縁の取付け（脱着）方法及び装着位置（すなわち細長材の全長）を変えることで上述のレンズの近点補正位置に更に自由度を持たせることができる。これは、強弱の近視者それぞれに対応した細長材（メガネ補助具）の提供が可能であること示している。（図２,図３）
【発明の効果】
【００１１】
本発明のメガネ補助具を現在市販されている眼鏡又は使用眼鏡に装着してもその眼鏡のデザイン性等は、壊さず、また、その装着により補助具ケース等の携帯のわずらわしさをなくし、いざ新聞、雑誌を読んだり、編み物を編んだりするときにその被写体が見えにくい領域にあり、見づらい場合、眼鏡に装着しておいたメガネ補助具を外し必要な位置に取り付け直すことにより見えにくいわずらわしさを解消する（図４(a)）。
【００１２】
また、近眼の強弱の度合いと老眼の強さにもよるが近くでの見えにくい領域には、幅又は奥行の深さ（深度）に差が生じる為、その領域の深さ（深度）が、たとえば、普段居間などでのテレビ観戦のテレビ位置がその領域にある場合、本発明のメガネ補助具を装着して観戦することで本来の近眼用で見ている状況よりもクリアーに見ることが可能となる。
【００１３】
更に、近眼の非常に強い人が加齢により老眼も併発した場合、本発明のメガネ補助具による近点補正の範囲を超える場合には、現在使用の近眼用眼鏡の度数を下げて使用することで若干遠方の見え方には使用眼鏡時と異なるが近場の広い範囲はかなりはっきりと見える様に調整することも可能となる。
【００１４】
また、取付け方法（装着方法）の多様化を取り入れることは市販眼鏡又は使用眼鏡の加工を行わなくても済むだけでなく、メガネ補助具の選択肢が更に拡大する事で製品単価を抑えたりデザイン性を上げることも可能となる（図７、図８、図９）。
【００１５】
そして、近年では、近眼用眼鏡の二つのレンズ部分に脱着可能なサングラスレンズを嵌め込んだサングラスフレームが創作され、レンズの色、形状、柄等により使用者個人のファッション性及び目的（レンズ色の濃淡、偏光入り等）に合ったものを選択することが可能となっている。本発明のメガネ補助具は、そのようなサングラス使用の眼鏡に対しても使用可能であり、サングラス使用が必要な環境下でさらに近くの見えにくい領域があるような場合には本メガネ補助具を使用することで解決することが可能となる。
【００１６】
また、あえて眼鏡レンズ又は眼鏡フレームの上縁及び下縁の一部に最小限の加工を施すことが可能であればその細長材（メガネ補助具）の簡素化（；眼鏡レンズ及び眼鏡フレームの二つのレンズの上縁及び下縁の厚みや形状等によって細長材（メガネ補助具）と眼鏡との嵌合部の異なる寸法種類数の軽減）が可能となり（図１０）、メガネ補助具の選択肢を上述に加え拡大させることで更に製品単価を抑えたりデザイン性を上げることも可能となる。
【図面の簡単な説明】
【００１７】
【図１】本発明のメガネ補助具の使用状態を示す概要図（説明図）（側面図）。
【図２】本発明のメガネ補助具の形状と取付け方法を差し込み型に変えた補助具の使用状態を示す概要図（説明図）（側面図）及び頭頂部からの下視図。
【図３】本発明のメガネ補助具の装着位置を眼鏡の鼻パッド側に近づけた時の使用状態を示す概要図（説明図）（側面図）及び（正面図）
【図４】（a）本発明のメガネ補助具を装着した状態を示す正面図。（b）は、（a）のＡ-Ａ拡大断面図。（c）は、（a）のＢ-Ｂ拡大断面図。
【図５】（a）本発明のメガネ補助具が縮んだ状態を示す概要図。       （b）本発明のメガネ補助具が伸びた状態を示す概要図。
【図６】（a）本発明のメガネ補助具に色合いを施し装着した正面図。       （b）本発明のメガネ補助具に柄を施し装着した正面図。       （c）本発明のメガネ補助具に色合い、柄などを施し装着した正面図。
【図７】本発明のメガネ補助具の嵌合部分の一例（斜下面図）と眼鏡装着時の一例を示した装着正面図。        (a) 両先端部に内側への突起部を施した場合。        (b) 両先端部に奥から上側に向けて間隔を狭くした場合。        (c) 両先端部が使用頻度により劣化しない様に外側に突起部を施した場合。        (d)(c)の両先端部（；嵌合部）の中心部を抜いた場合。
【図８】(a) 本発明のメガネ補助具の嵌合方式に磁石の埋め込み方式を使用した場合の装着方法と装着正面図。        (b) 本発明のメガネ補助具の嵌合方式に磁石の差込み方式を使用した場合の装着方法と装着正面図。
【図９】(a)本発明のメガネ補助具の嵌合部に粘着具又は接着具を施した場合の装着方法と装着正面図。        (b)嵌合部をコ字型にし、その底部に粘着具又は接着具を塗布した場合の拡大図。
【図１０】(a)眼鏡に最小限の加工（孔又は穴を開け）した時のメガネ補助具の装着例と斜下正面図。(b)(a)のメガネ補助具に奥側に突起部を施した場合の装着例と斜下正面図。
【図１１】メガネ補助具の形状及び装着位置（取り付け位置）を変えたことによる眼鏡レンズの近点距離の変化（；d分だけ小さくできる）を示す正面図。          (a)点線は、メガネ補助具に加工を施さない場合での装着正面図。          (b)実線は、メガネ補助具の形状及び装着位置を変えた場合の装着正面図。
【図１２】眼鏡フレーム全体を磁石吸着材で作成した時のメガネ補助具の種類の一例と装          着正面図。
【図１３】メガネ補助具に取り付ける磁石の代わりに眼鏡フレーム等の二つのレンズの上縁及び下縁の任意の位置にマグネットシートを貼り付け、それに変形させたメガネ補助具（；磁石吸着材のみでできた）を装着した時の正面図。
【図１４】角度調整可能なメガネ補助具の嵌合部に粘着具又は接着具を塗布し、それぞれの角度調整時での装着正面図。
【図１５】メガネ補助具の取り付け部（；嵌合部）の角度調整を可能とする構造例        (a)嵌合式の拡大断面図        (b)嵌合式で一方の接触部に凹の構造、他方に凸の構造（逆も有り）の多数を有し、角度調整時にそれぞれの角度での凹凸が一致し固定できる構造例の拡大断面図。         (c)固定方法としてリベット等を使用した場合の拡大断面図        (d)固定方法としてボルト・ナット等を使用した場合の拡大断面図。
【図１６】眼鏡フレームの二つのレンズの上縁及び下縁の任意の位置に薄板状小型磁石を埋め込み又は嵌め込み、メガネ補助具にそれぞれに位置に合った部分に吸着材又は薄板状小型磁石を施し、それぞれの間を細い針金等を埋め込んだ柔らかい素材の長材（たとえばシリコン樹脂等）で作成したメガネ補助具をフレキシブルに変形した時の装着正面図及び全長の変化量（x及びX）に対する中央部の凸部の変化量(h及びH)を示す。
【図１７】細長材（メガネ補助具）の嵌合部を粘着具、接着具方式とし、その全長を短かくし装着した時の正面図
【図１８】図１６のメガネ補助具をフレキシブル（；凸凹形状）に変形させ装着した時の一例と装着正面図。
【発明を実施するための形態】
【００１８】
現在、市販されている一つの眼鏡の二つの眼鏡レンズ間や眼鏡フレーム及び使用中の眼鏡の二つのレンズ間の上縁にメガネ補助具を取り付けることで本来携帯（補助具用ケース入等に入れて持ち運ばなければならない手間）しなければならない手間をなくし、また、メガネ補助具を取り付けてもそのメガネ補助具の形状、材質及び色、柄等をその眼鏡特有のデザインと一体化することでその眼鏡が本来持つファッション性を崩さず更にいえばそのメガネ補助具を取り付けたことで更なるデザイン性又はファッション性アップを生み、使用者が気に入った眼鏡に更なる新しいデザイン性を使用者個人の考えで取り入れることもできる。また、いざ近くの見えにくいある領域を見たい時は、そのメガネ補助具を取り外し、その眼鏡の二つのレンズ間の下縁に装着することで本来その眼鏡の鼻当てパッドでレンズ位置の固定を行っているものをメガネ補助具の底を鼻上部に置く（当てる）ことでレンズ位置を鼻当てパッドの時よりも前に移動させることができ、また、その際のレンズの中心と眼（瞳）とのずれは鼻当てパッド使用で前部へ移動した時より小さくできる。そして、その移動範囲は、メガネ補助具の底の鼻への当て位置によって小から大と自由度を持ち近眼の強い人から弱い人の近眼老眼者それぞれに対応する可能性が生まれる。そして、その際のレンズの中心と瞳のずれは、鼻パッド使用時の移動の時より小さくできる。
【００１９】
上述で示したようにメガネ補助具を下縁（たとえば、図４(a)）に装着した状態で眼鏡レンズと眼（瞳）との間隔を狭めて掛けると本来の使用とは異なるが眼鏡レンズの中心部が本来の位置より上側に移動するため眼（瞳）を眼鏡レンズの下部に合わせたのと同じ動作ができる。これは、遠近両用眼鏡を使用している人が近場を見る時に行う動作（下目使い）と同じで、この状態を長く続ける様な場合（たとえば編み物や読書など）でもこのメガネ補助具を遠近両用眼鏡の下縁に装着し掛けることでその下目使いの動作が可能となる。
【００２０】
本発明のメガネ補助具は、一つの眼鏡の二つのレンズ又は眼鏡フレームに装着することで本来眼鏡ケースのように携帯しなければならない手間をなくすことが一つの特徴である。しかし、現在市販されている眼鏡は、消費者の眼鏡への位置付けが眼鏡を掛けた時の印象や自分がその眼鏡で似合うかどうかなどの満足度、そして、TPOによる多様化、デザイン性、ファッション性などを重視する余り、いろいろな種類の物が販売されている。メガネ補助具としての機能を十分有し、更に、上述の眼鏡に求められている要求そしてデザイン性やファッション性を壊さず、そしてメガネ補助具を装着したことで本来のその眼鏡の持つ個性に更なる個人（使用者）によるデザイン性、ファッション性を取り入れることができる様な汎用性に飛んだメガネ補助具が必要となる。
【００２１】
（実施例１：嵌合方式）
細長材（メガネ補助具）の両端の先端側の嵌合部に突起部を有するもの（図４（b）の５、図７(a)）と奥側から開口側に向けて狭くすること（図４（c）の６、図７(b)）で一つの眼鏡の二つの眼鏡レンズ間又は眼鏡フレームの二つのレンズ間の上縁又は下縁に装着する際の嵌め合いがしっかり装着できるようになると共にその嵌合部分の突起部や狭くなっている部分の材質にシリコン系樹脂、柔らかいプラステック、ゴム系等を使用したり、又は本来の細長材（メガネ補助具）に塗布することで装着する際に生じるレンズ及び眼鏡フレームへの傷等の軽減を可能にする。
【００２２】
また、装着時の際、嵌合部の先端部がスムーズに嵌合できるように接触部が鋭角ではなく鈍角又は曲線（；カーブ）上に加工したり、装着の使用頻度にともない先端部の接触部が劣化しにくい様、又は装着の強度を増す様内側だけでなく外側への突起部（；図７(c)(d)）を有する形状も考えられる。
【００２３】
本発明の細長材（メガネ補助具）を二つに分け、その間に中心部が刻印された心棒を入れること（図５（b）)で細長財（メガネ補助具）が長手方向に伸縮が可能になり、市販されている眼鏡の眼鏡レンズ間隔又は眼鏡フレームのレンズの間隔の微妙な間隔差に対応する自由度を持たせることができる。中心部の刻印（図５の７）は、細長材（メガネ補助具）を両側に伸ばした時に中心部がわかることでその両側の対象性が保たれる。
【００２４】
細長材（メガネ補助具）と眼鏡レンズ又は眼鏡フレームとを嵌合する二ヶ所の両端先端側の嵌合部をできるだけ小さくしそれ以外の部分は、その嵌合部を結び付ける長材とすることで眼鏡レンズ又は眼鏡フレームの装着部の形状、厚み等の変化への対応がスムーズになると共に細長材（メガネ補助具）の作成の簡素化及び製品単価の削減そして取付け手段の多様化も図る可能性が生まれる。（図７(a)(b)(c)(d)）
【００２５】
また、細長材（メガネ補助具）の装着時の眼鏡フレーム本体とメガネ補助具との位置決めを前もって決めて置く（たとえば、眼鏡フレームの嵌合位置に目印などを貼る等）とメガネ補助具の脱着がスムーズに行われるだけでなく、微妙な掛け心地や外観も統一化することが可能となる。
【００２６】
（実施例２：磁石方式）
細長材（メガネ補助具）を両端先端部に小型磁石を埋め込み部（図８(a)）又は嵌め込む部（図８(b)）とそれを繋ぐ長材から構成し、その小型磁石が埋め込まれた又は嵌め込まれた位置に合った一つの眼鏡の二つの眼鏡レンズ又は眼鏡フレームの上縁及び下縁の位置に磁石が吸着する材質（図８、1８）を設けて取り付けることで細長材（メガネ補助具）の脱着が簡単に行うことができる。
【００２７】
また、メガネ補助具の両端先端部の小型磁石の埋め込み又は嵌め込み等の取り付け方法や眼鏡側の磁石吸着材の形状や装着方法を増やすことでメガネ補助具の簡素化が可能であると共に安価で安全なメガネ補助具を提供することできるだけでなくメガネ補助具の使用頻度による嵌合時の眼鏡への傷等の軽減も期待できる（図８）。
【００２８】
また、眼鏡フレーム全体を磁石が吸着する素材を使用すれば細長材（メガネ補助具）の両端先端部に磁石を設けるだけで装着が可能となり、メガネ補助具の形状や長手方向の寸法にも自由度を上げる可能性が生まれるだけでなく、メガネ補助具の選択肢も増やすことが可能となる。（図１２）。
【００２９】
また、逆に細長材（メガネ補助具）を長材としてその両端先端の嵌合部位置に磁石吸着材を接着剤等で貼り付け又はメガネ補助具全体を磁石吸着材（図13の24）とし、眼鏡側の嵌合位置には小型磁石やその形状に合ったマグネットシート等の磁性材料シート（図13の23）を貼り付けそれぞれを吸着することで装着することが可能であれば簡単に脱着が可能となるだけでなく嵌合部位置への自由度上げることが可能となる。（図1３）
【００３０】
（実施例３：穴差込方式）
細長材（メガネ補助具）と眼鏡レンズ又は眼鏡フレームとの嵌合手段として眼鏡レンズ又は眼鏡フレームの一部に最小限の加工を施すことが可能であれば眼鏡レンズ又は眼鏡フレームのあらゆる形状に対応する細長材（メガネ補助具）が可能となる。その方法は、眼鏡レンズ又は眼鏡フレームの上縁及び下縁に構造上問題のない大きさ孔（穴）を設け、細長材（メガネ補助具）側には、長材の両端に上述の孔（穴）と嵌合する突起部をそれぞれに合わせた位置に設ける。細長材（メガネ補助具）の材質には多種多様なもの（プラスチック、金属等）の使用が可能となるため更なる安価の可能性が生まれると共に突起部を有する細長材（メガネ補助具）（図10の21）を量産しておけばそれに合う孔（穴）を設けるだけで細長材（メガネ補助具）の機能を有することが可能となる。（図1０）
【００３１】
（実施例４：粘着具、接着具方式）
現在市販されている粘着具又は接着具には使用する材質（；プラスチックなど）に塗布又は塗りつけるだけでそれぞれを貼り付けるだけでなく何度も取り外ししてもその粘着力、接着力が維持される物がある。本発明のメガネ補助具の取り付け部に上述の粘着具又は接着具（図９の２０）を塗布又は塗りつけて眼鏡との脱着に使用することで更なる簡素化が可能になるだけでなく安価への可能性も生まれる（図９）。
【００３２】
本来眼鏡の中央部（特に鼻パッドの上下位置）は使用レンズが変形四角形の角の位置に当たり、曲率が大きくなる為、嵌合や取付け方法の形状が複雑になりメガネ補助具の種類も多種になってしまう。この粘着具等の使用（図１７の２０）により取付け部の形状に関係なくスムーズに取付けが可能となる（図１４、図１７）。
【００３３】
そして  更にメガネ補助具の左右先端部の嵌合部すなわち粘着具等を塗布した貼付部が任意の位置を中心に上下に回動し（回動の際は、それぞれの希望の位置で固定できるようにした）（図１５(a)(b)(c)(d)）、使用者の希望に合った位置設定ができるようにすることでレンズの近点補正を小さくすることができ弱い近眼者への対応が可能となる（図１４）
【００３４】
（実施例５：嵌合部間長材変形方式）
前述に示した様にメガネ補助具の嵌合（装着）方式には今回示した一例以外にもいろいろな方式が考えられる様に嵌合（装着）部以外の長材についても形状を直線的なもの（図１１(a)）、曲線（丸）形型、く字形型（図１１(b)、図１３の24、図１４の25、図１６の１６）などに変形したり、又長材の中央部を固定して左右両端部の嵌合（装着）部分を含む適当な長さの部分が装着時に対し上下方向に角度調整可能な構造を有するもの（図１4の25）などいろいろな形状、構造にすることでメガネ補助具の用途、たとえば現在の使用眼鏡に更なるデザイン性、ファッション性を取り入れたい場合や近眼の弱い人がメガネ補助具を使用する場合、眼（瞳）と眼鏡レンズとの間隔は、通常使用よりも狭くする、すなわち近点補正を小さくする場合(図14の25や図16のｈからHへなど)などいろいろな対応が可能となり前述の嵌合方式に上述の長材の変形や角度調整可能等を取り入れることでメガネ補助具の更なる汎用性が生まれる。
【００３５】
上述の嵌合（装着）部の角度調整には嵌合（装着）部と長材の中央部との間の接合部に凸部とそれに合わせた凹部を設け、それぞれが一致した位置で嵌合し（図１５(a)）、又凹凸部に更なる鋭角な有数の突起部とその形状に合った凹部を設け、回転時に嵌合すること（図１５(b)）でフレキシブルな調整が可能となる（図１４）。
【００３６】
またリベット（図１５(c)）やボルト・ナット（図１５(d)）等の使用なども角度調整時に調整した位置で固定できる構造となり使用者の意図する位置の固定がスムーズに行うことができる（図１４）。
【００３７】
また長材の材質の選定によりたとえばシリコン樹脂等の柔らかい樹脂などでメガネ補助具を作成し、長材部に細い針金等を適当な数又は薄板状金属等を埋め込むことで長材の変形をフレキシブルに行わせることが可能になるようにいろいろな構造を取り入れることでメガネ補助具の機能を十分果たし、更なるデザイン性、ファッション性へのあらゆる汎用性が可能となる。（図１６、図１８）。
【００３８】
また、前述の嵌合部の方式と上述の長材の様式との組み合わせによって、たとえば、嵌合部を磁石方式とし眼鏡フレームの上縁及び下縁の所定箇所に薄板状小型磁石を埋め込みや差し込み又は貼付け、装着するメガネ補助具側には長材部に針金等を数本埋め込んだもので左右先端部には上述の薄板状小型磁石の位置に合った箇所に吸着材又は同じ薄板状小型磁石を有うするもので作成することで、本来、メガネ補助具の目的である近点補正の自由度をフレキシブルに行わせることができると共に見ため上のメガネ補助具の形状を直線的だけでなく、不自然でない連続変化（図１６、１６のhからHへ）させることができ、ファッション性等をその都度使用者の考えのもとで上げることが可能となる（図１６）。
【００３９】
そして、その長材のフレキシブル変形は、変形しない通常時のフラット状態から凸形（図１６の１６）及び凹形（図１８の２７）に変形し装着することで眼鏡レンズと瞳との間隔を通常使用時より小から大に、眼鏡レンズと瞳の中心もそれ程ずれずに変化させることが可能となる。
【００４０】
以上、上述の実施例の様にメガネ補助具の取り付け方法及び両先端嵌合（装着）部間の長材の形状や長材とそれぞれの嵌合（装着）部との結合型（図１５）等にはいろいろな方法や結合型が考えられる。そしてこのように種類が多いことは眼鏡使用者がどのようなデザイン性、ファッション性（使用者にメガネ補助具を付けた眼鏡が似合うか？など）を望んでいるか？又は単価は？などの選択肢を増やすことになり、使用者個人の独自性を取り入れられるだけでなくメガネ補助具の使い勝手や近眼の強弱にも対応が可能となり、あらゆる汎用性が生まれる。
【００４１】
現在、市販されている一つの眼鏡の二つの眼鏡レンズや眼鏡フレーム、又は、使用中眼鏡にメガネ補助具を装着することでレンズと眼との間隔が広くなる（広がる）ことで冬季時のマスク等によるレンズの曇りをなくすことも可能である。
【００４２】
現在、市販されている一つの眼鏡の二つの眼鏡レンズや眼鏡フレーム又は、使用中の眼鏡をレーザー測定等を用いて測定し、その結果をＰＣ（パーソナル  コンピュータ）に取り込み独自のメガネ補助具専用設計プログラムで自由に設計を行い３Ｄ（３次元）Printerでプリントアウトすることでオーダーメイド的なメガネ補助具を提供することも可能である。
【００４３】
また、多種のメガネ補助具専用設計プログラムを用意し多種それぞれのメガネ補助具を使用眼鏡等に取り付けた時の概要をコンピュータモニターで確認できるようにすることでそのメガネ補助具が使用者の希望に合っているか  また、色合い、柄等を変えることで更なるファッション性の確認も可能となる。
【００４４】
このメガネ補助具の材質等を変えること、又は中心部にＲ（カーブ）の凹凸の凸形状（図１６のhからH様な形状）を作り上縁から下縁に装着することで、鼻とメガネ補助具が接する部分を違和感のない感触を生むことで長時間装着可能になり、たとえば、本、新聞などを読んだり、趣味（編み物、絵を描いたり、パソコン操作など）を楽しむ時間の延長を提供することもできる。
【００４５】
このメガネ補助具は、本来、近眼者が加齢により老眼も併発した時に現在掛けている眼鏡では、近くでのある領域が眼鏡使用時でも、裸眼になっても見えない領域（所）が出てくる為、その領域を見えるようにする為にはそれを解決するための眼鏡を新たに作らなければならないことを無くし、簡単な構造のため市販されている眼鏡、又は今使用しているどんな眼鏡でも装着可能であり、安価で安全なメガネ補助を提供することができる。
【００４６】
現在、市販されている眼鏡フレームの上縁の形状と同じ形状の嵌合構造で眼鏡フレームの上縁に被ったそのはみ出し部を薄くすることで本体フレーム形状の変形をできるだけ小さくすることで見た目上本体フレームその物として扱える（フレームと同じ材質、同じ色、同じ柄等とする）（図６（c））。また、上述のメガネ補助具に手を加える（材質、色合い、柄等を付ける）ことで更なるデザイン性やファッション性を上げることも可能である（図６(a)(b)）。
【符号の説明】
【００４７】
１    眼鏡フレーム
２    鼻パッド
３    メガネ補助具装着時側面
４    眼鏡レンズ
５    嵌合溝の両端縁に突起部を施したメガネ補助具
６    嵌合溝の溝幅を奥から開口に向けて狭くなるように施したメガネ補助具
７    二つに分けたメガネ補助具を繋ぐ心棒の中心位置の刻印
８    色を施したメガネ補助具の装着例
９    柄を施したメガネ補助具の装着例
１０  色と柄を施したメガネ補助具の装着例
１１  二つに分けたメガネ補助具を縮めた時のメガネ補助具
１２  二つに分けたメガネ補助具を伸ばした時のメガネ補助具
１３  二つに分けたメガネ補助具を繋ぐ心棒
１４  嵌合部に外側への突起部を施したメガネ補助具
１５  小型磁石
１６  小型磁石を埋め込んだメガネ補助具
１７  小型磁石を差し込んだメガネ補助具
１８  磁石の吸着材
１９  粘着具及び接着具を塗布したメガネ補助具
２０  粘着具及び接着具
２１  眼鏡フレームの孔（穴）に合った突起部を有するメガネ補助具
２２  長材をく字形に変形したメガネ補助具
２３  マグネットシート
２４  吸着材又は両端部に吸着材を有するメガネ補助具
２５  角度調整可能な嵌合部を有するメガネ補助具
２６  角度調整を可能にする結合構造
２７  細い針金又は薄板状金属（変形可能金属）
Ｗ    鼻パッド使用時のレンズ位置とメガネ補助具使用時のレンズ位置の移動幅
E    メガネ補助具の嵌合部と中央部の長材を結ぶ結合部
ｄ  メガネ補助具の形状及び装着位置を変えたことによる眼鏡レンズの近点距離の変化量
x  メガネ補助具の全長を微妙に短くした時の変化量
X  上述のｘの変化量を更に増やした時の変化量
ｈ  メガネ補助具の全長を２ｘ分短くした時のそれに伴う中央部長材での変化量
H  上述のXを更に２Xに増やした時のそれに伴う中央部長材での変化量
【図１】
2020038344.tif 000003
【図２】
2020038344.tif 000004
【図３】
2020038344.tif 000005
【図４】
2020038344.tif 000006
【図５】
2020038344.tif 000007
【図６】
2020038344.tif 000008
【図７】
2020038344.tif 000009
【図８】
2020038344.tif 000010
【図９】
2020038344.tif 000011
【図１０】
2020038344.tif 000012
【図１１】
2020038344.tif 000013
【図１２】
2020038344.tif 000014
【図１３】
2020038344.tif 000015
【図１４】
2020038344.tif 000016
【図１５】
2020038344.tif 000017
【図１６】
2020038344.tif 000018
【図１７】
2020038344.tif 000019
【図１８】
2020038344.tif 000020